(57)【特許請求の範囲】
【請求項１】
複数の発光ダイオード素子と、該発光ダイオード素子を取付けた光源部と、中空円筒状で透明または半透明の発光部と、前記発光部内側の上部近傍に取付けた反射シートと、前記発光部外側の一部を覆う発光覆部とにより照明装置本体を構成し、該照明装置本体を設置面に取り付けてなる手すり照明装置であって、
前記光源部は、平面円形状からなり、この平面円形状の一面に前記発光ダイオード素子が配置されるとともに、前記発光ダイオード素子の発光中心方向が前記発光部の発光面法線方向とほぼ垂直になるように前記発光部の片端あるいは両端に着脱自在に装着されることを特徴とする手すり照明装置。
【請求項２】
複数の発光ダイオード素子と、該発光ダイオード素子を取付けた光源部と、中空円筒状で透明または半透明の発光部と、前記発光部内側の上部近傍に取付けた反射シートと、前記発光部外側の一部を覆う発光覆部とにより照明装置本体を構成し、該照明装置本体を設置面に取り付けてなる手すり照明装置であって、
前記照明装置本体の前記発光部に対向する位置に設けた光源部取付口と、光源取付部を有し、この光源取付部によって前記光源部取付口に着脱自在に取付られるとともに、前記発光部内の長手方向中心軸に沿って配設される直線状の光源部とを備えたことを特徴とする手すり照明装置。
【請求項３】
通路側覆部長さを取付側覆部長さよりも長くすると共に前記通路側覆部長さを取付高さに応じたグレアを感じられない長さとした前記発光覆部を備えたことを特徴とする請求項１又は２記載の手すり照明装置。
【請求項４】
前記照明装置本体の前記発光覆部と前記反射シートの長手方向上部に沿って少なくとも１個以上の貫通穴を設けたことを特徴とする請求項１〜３のいずれかに記載の手すり照明装置。
【請求項５】
表面に複数の刻み部を設けたプリズムレンズシートを前記発光部の内側表面に設け、前記刻み部を前記発光部の長手方向に平行に配設すると共に前記発光部の内側表面に向けて配設したことを特徴とする請求項１〜４のいずれかに記載の手すり照明装置。
【請求項６】
長手方向に平行に複数の楔部を設けた前記発光部を備えたことを特徴とする請求項１〜５のいずれかに記載の手すり照明装置。
【請求項７】
明るさセンサと人感センサの少なくとも一方と連動して作動する前記照明装置本体を備えたことを特徴とする請求項１〜６のいずれかに記載の手すり照明装置。
【発明の詳細な説明】
【０００１】
【発明の属する技術分野】
本発明は、住宅や施設などの階段、一般通路などに用いる手すり照明装置に係り、より詳しくは、周囲を照明する機能を備え、表面が熱くならずに安心して握ることができる、高誘目性の省エネ長寿命で安全歩行用の手すり照明装置に関するものである。
【０００２】
【従来の技術】
図８（ａ）は従来の手すり照明装置の取付側を示す背面図、図８（ｂ）は図８（ａ）のＥ−Ｅ断面図、図８（ｃ）は図８（ａ）の側面図である。３１は蛍光ランプ、４は蛍光ランプ３１を覆う透明あるいは半透明の手すり本体を兼ねた発光部、３２はランプソケットを備えたランプ固定部である。９は壁面１０に取り付けた取付部、１１は取付部９とランプ固定部３２とを結合する止めねじである。３３は壁面１０に取り付けた蛍光ランプ３１を点灯させるための点灯装置である。７は点灯装置３３とランプソケットを結ぶ光源電力搬送線、８は光源電力搬送線７を収納する光源電力線収納部である。
【０００３】
【発明が解決しようとする課題】
上記のように構成した手すり照明装置によれば、蛍光ランプ３１を用いているため、歩行を行う際の周囲明るさを確保することができる。しかしながら、蛍光ランプ３１では、歩行の際に手すり表面自体に眩しさを感じて安全な歩行を確保できない場合があり、また、短時間の使用でも手すり表面が非常に熱くなってときには触ることができない場合があり、さらに、点灯時には少なからず電力を消費し、加えて、ランプ寿命によるランプ切れの際には照明装置本体を一度取付面から外して交換するなど、非常に手間がかかった。
【０００４】
本発明は上記のような課題を解決するためになされたもので、手すり表面に熱を持たず、低消費エネルギーで壁面や足元などの手すり周囲を照明することができ、しかも従来のような光源寿命に起因する光源交換の負担を解消して、安全歩行を確保することができる照明機能付きの手すり照明装置を得ることを目的とする。
【０００５】
【課題を解決するための手段】
本発明は、複数の発光ダイオード素子と、発光ダイオード素子を取付けた光源部と、中空円筒状で透明または半透明の発光部と、発光部内側の上部近傍に取付けた反射シートと、発光部外側の一部を覆う発光覆部とにより照明装置本体を構成し、照明装置本体を設置面に取り付けてなる手すり照明装置であって、光源部は、平面円形状からなり、この平面円形状の一面に発光ダイオード素子が配置されるとともに、発光ダイオード素子の発光中心方向が発光部の発光面法線方向とほぼ垂直になるように発光部の片端あるいは両端に着脱自在に装着される。
【０００６】
また、複数の発光ダイオード素子と、発光ダイオード素子を取付けた光源部と、中空円筒状で透明または半透明の発光部と、発光部内側の上部近傍に取付けた反射シートと、発光部外側の一部を覆う発光覆部とにより照明装置本体を構成し、照明装置本体を設置面に取り付けてなる手すり照明装置であって、照明装置本体の発光部に対向する位置に設けた光源部取付口と、光源取付部を有し、この光源取付部によって光源部取付口に着脱自在に取付られるとともに、発光部内の長手方向中心軸に沿って配設される直線状の光源部とを備えた。
【０００７】
さらに、通路側覆部長さを取付側覆部長さよりも長くすると共に通路側覆部長さを取付高さに応じたグレアを感じられない長さとした発光覆部を備えた。
また、照明装置本体の発光覆部と反射シートの長手方向上部に沿って少なくとも１個以上の貫通穴を設けた。
さらに、表面に複数の刻み部を設けたプリズムレンズシートを発光部の内側表面に設け、刻み部を発光部の長手方向に平行に配設すると共に発光部の内側表面に向けて配設した。
【０００８】
また、長手方向に平行に複数の楔部を設けた発光部を備えた。
さらに、明るさセンサと人感センサの少なくとも一方と連動して作動する照明装置本体を備えた。
【０００９】
【発明の実施の形態】
［実施の形態１］
図１（ａ）は本発明の実施の形態１の取付側を示す背面図、図１（ｂ）は図１（ａ）のＡ−Ａ断面図、図１（ｃ）は実施の形態１の通路側を示す正面図である。１は平面円形状の光源部である。２は光源部１に取り付けた複数の発光ダイオード素子（以下、ＬＥＤという）で、直流電源駆動であるため、一般家庭などにおいて商用電源を用いた場合は直流変換が必要となる。
【００１０】
３は光源部１に埋め込まれた点灯回路部で、ＬＥＤ２を点灯させるための直流変換回路を備えている。この点灯回路部３は、光源部１内に回路を設けてあるのでそのスペースを十分に取ることができず、非常に簡単な直流交流変換回路となり、例えば複数個のダイオードを用いた整流器などが考えられる。この際のＬＥＤ２の接続は、目的の仕様に合わせて並列でも直列でもよい。
なお、上記の構成では点灯回路部３は光源部１内に取り付けてあるが、点灯回路部３ａに示すように、器具構成上の都合によって、光源部１と切り離した位置に設けてもよく、この場合は、スペース的に余裕ができるため、安定化回路を含むような直流変換回路の導入も可能である。
【００１１】
４は光源部１からの光を発光する発光部であり、透明あるいは半透明の中空円筒状のアクリルパイプなどで構成され、その両端部（または片側部）には光源部１が着脱自在に取り付けてある。
５は発光部４の外側表面の一部を覆うようにカバーリングされた発光覆部で、手すりとしての強度を確保すると共に発光部４から発する光のグレアを防ぐ役割も持つ例えば加工した金属によって形成され、片手で握ることができる大きさになっている。
【００１２】
６は光源からの光を反射させて効率よく発光部４の下方から発光させるために発光部４の内側表面の上部近傍に接するようにして取り付けた反射シートであり、高反射率を有する拡散シートが好ましい。なお、反射シート６の大きさには限定はないが、反射効果が損なわれない程度に外見上発光覆部５の長さ以下とすることが好ましい。
なお、上記の照明装置本体において、複数のＬＥＤ２の発光中心方向は、発光部４の発光面上の輝度むらを少なくするために、その中心を通り照明装置本体の長手方向中心軸に並行な軸上にほぼ向くように（発光面法線方向とほぼ垂直になるように）取り付けることが望ましい。
【００１３】
７は光源部１に電力を供給する光源電力搬送線であり、８は光源電力搬送線７を収納する搬送線収納部で、例えば発光覆部５の長手方向の内側に設けてあるが、発光覆部５の外側等に設けてもよい。
９は壁面１０等の設置面に照明装置本体を取り付けるための取付部、１１は取付部９を発光覆部５に取り付けるための止めねじである。
【００１４】
上記のように構成した実施の形態１の作用を説明する。まず、光源電力搬送線７によって電力が供給され、点灯回路部３（３ａ）によって光源部１に取付けた複数のＬＥＤ２が点灯すると、これらの発光中心方向は、発光部４の発光面上の輝度むらを少なくするため、その中心を通り照明装置本体の長手方向中心軸に並行な軸上に向く。こうして、発光部４は光源部１からの光を発光させる。このとき、発光覆部５は発光部４の表面を覆っているので、発光部光のグレアを防ぎ、反射シート６は光源からの光を反射させて発光部４の下方から効率よく発光させる。
【００１５】
実施の形態１によれば、極めて長寿命かつ低消費エネルギーにより発光部４から周囲に光を放って照明し、安全歩行を確保することができるとともに、発光部４の表面に熱を持たないために安心して握りかつ身体をあずけることができる。
【００１６】
［実施例］
実施の形態１に示す手すり照明装置を試作して、その照度を測定した結果を記述する。図１に示す手すり照明装置の長手方向の長さを８００ｍｍ、直径を４０ｍｍとし、ＬＥＤ２には直径３ｍｍ、５ｌｍ／ｗのレンズ付き素子を片側に２４個使用した。発光部４には直径４５ｍｍの透明アクリルパイプを用い、反射シート６は反射率約９７％の白色拡散シートを用いた。反射シート６及び発光覆部５は、アクリルパイプのちょうど円筒半分をカバーする形で用いた。その結果、発光部４の表面中心から垂直に６０ｃｍ離した点で１０ルックス、そこから照度計向きを変えずに３０ｃｍ右へ移動させた点でも１０ルックスを得た（左側も同様）。
【００１７】
上記の照度値は、ＬＥＤ２の素子数を調整することによって任意に変えることができる。さらに高い照度値を望む場合は素子数を増加することになるが、低い照度値を望む場合は素子に流す電流値を減らせばよい。また、ＬＥＤ２は定格で約０．０８Ｗと非常に低消費エネルギーであり、素子自体が固体発光ということで長寿命（数時間〜数十万時間）であるという特長がある。したがって、従来の蛍光灯の寿命（６千時間程度）に比して光源交換回数ははるかに激減し、ほぼ交換なしで使用することが可能となる。
【００１８】
また、複数個のＬＥＤを用いているため、小数個の素子が点灯不能になった状態でもそのまま使用できるという利点がある。光源のメンテナンスが必要な場合は、光源部１を照明装置本体から取り外すことができるため、メンテナンスを容易に行うことができる。さらに、現在、発光波長が赤や緑にピークを持つものでは素子が非常に安価という利点があるため、省エネ長寿命の安価な照明装置を得ることができる。また、可視域のＬＥＤ２は赤外線をほとんど発しないため、熱を持たない素子でもあり、試作品においてその発光部４の表面及び発光覆部５を握っても熱さは感じられず、熱の面での安全性が確認された。
【００１９】
［実施の形態２］
図２（ａ）は本発明の実施の形態２の取付側を示す背面図、図２（ｂ）は図１（ａ）のＢ−Ｂ断面図、図２（ｃ）は実施の形態２の作用説明図である。１ａは複数のＬＥＤ２の発光中心を下方に向けて取り付けた直線状の光源部で、発光部４の中心軸上に配設され、光源電力搬送線７に接続してある。なお、光源部１ａは必ずしも発光部４の中心軸上に配設する必要はないが、発光部４の下部から効率よく光を取りだすには、ＬＥＤ２の発光中心を下方に向けてその位置はできるだけ発光中心付近に配設することが望ましい。
【００２０】
１２は取付支柱１３を介して直線状の光源部１ａに平行に結合した直線状の光源取付部で、照明装置本体表面の長手方向に沿って直線状に貫設した光源取付口１４に着脱自在に取付けられ、その取付角度は発光部４の中心軸上を通り壁面１０に垂直な面イに対してθとなるようにしてある。この取付角度θにはとくに制約はなく、手すり照明器具設計の都合によって定めればよい。例えば、光源取付部１２を光源覆部５の真上に取付けたい場合は、取付角度θが９０度になるように設定すればよい。また、光源部１ａの取付支柱１３の長さＬは、光源部１ａが発光部４の中心軸上に位置するのに必要な長さとしてある。なお、取付支柱１３の長さＬについての条件も特定されるものではない。
【００２１】
ところで、照明装置本体の表面に貫設した光源取付口１４を詳述すると、図２ｃに示すように、発光部４、発光覆部５及び反射シート６にそれぞれ設けた発光部取付口１５と発光覆部取付口１６と反射シート取付口１７とから構成されている。そして、光源部１ａは光源取付口１４を通して取付け又は取り出しできるようになっており、取付け時は光源取付部１３を発光覆部５の発光覆部取付口１６に取付けて固定して、光源部１ａを発光部４内側の中心軸に合わせて配設する。１８は光源部１ａに電力を供給するための光源側コネクタ、１９は本体側コネクタである。
このように、直線型の光源部１ａから発光部４の発光面への距離が発光部４の発光面上の位置によらず一定なので、発光面上では均一な光分布を得ることができ、したがって、発光時に発光部４は輝度均整度が高く、良好な外観を得ることができる。
【００２２】
その他の構成、作用は、実施の形態１で示した場合と実質的に同様なので、説明を省略する。
実施の形態２によれば、極めて長寿命かつ低消費エネルギーによって発光部４から周囲に光を放って照明し安全歩行を確保することができるとともに、発光部４の表面に熱を持たないため安心して握りかつ身体をあずけることができ、発光部４の表面輝度均整度も非常に高くなる。
【００２３】
［実施の形態３］
図３（ａ）は本発明の実施の形態３の取付側を示す背面図、図３ｂは実施の形態３の通路側を示す正面図、図３（ｃ）は図３（ａ）のＣ−Ｃ断面図である。なお、図３（ｃ）において、点線ロは発光部４の中心軸を通り取付面に平行な面を示している。２０は発光覆部５の頂点で、発光覆部５の上面と面ロとの交点である。５ａは面ロの取付側に位置する発光覆部５の取付側覆部、５ｂは面ロの通路側に位置する発光部覆部５の通路側覆部であり、実施の形態３では発光部覆部５における取付側覆部５ａと通路側覆部５ｂの周方向の長さ、したがって発光部４を覆う範囲を変えており、通路側覆部５ｂの長さを取付側覆部５ａの長さより長くし、かつ通路側覆部５ｂを取付高さに応じたグレアを感じられない長さとして、歩行者からのグレアを低減するようにしてある。なお、その長さは、手すり本体の取り付け位置に応じてグレアのないように設定することができる。設定方法は、例えば、実験によって定める方法や照明学会で推奨するようなグレア算出方法によればよい。
【００２４】
こうして、取付側覆部５ａの長さを短くすることで、発光部４から取付側に発する光の量を大きくして、手すり周辺の明るさを増加させることができる。このことによって、手すり周辺が明るくなり安全に歩行しやすくなると共に、周囲で反射する光が手すり自体を照明するので、高齢者でも手すり位置を正確に認識することができる。また、グレアがないように長さを設定したので、歩行者から見て手すり自体に眩しさを感じて歩行を阻害するといったことがない。
【００２５】
その他の構成、作用は、実施の形態１で示した場合と実質的に同様なので、説明を省略する。
実施の形態３によれば、取付側に発光する光の量を大きくすることができ、また通路側では歩行者から手すりを見たときの眩しさを抑えることができる。こうして、手すり周囲が明るく、またグレアがなく安心して握り、身体をあずけることが可能となる。
【００２６】
［実施の形態４］
図４（ａ）は本発明の実施の形態４の取付側を示す背面図、図４（ｂ）は実施の形態４の平面図、図４（ｃ）は図４（ａ）のＤ−Ｄ断面図である。２１は外部から発光部４の表面を視認させるために発光覆部５の上部に貫設した少なくとも１つ以上の直方体形状をなす覆部貫通穴であり、２２は覆部貫通穴２１の位置と寸法に合わせて反射シート６に切り抜いて形成した反射板貫通穴である。
こうして、光源部１から発した光は、反射板貫通穴２２、覆部貫通穴２１を通過して発光覆部５上において発光が認められる。
【００２７】
その他の構成、作用は、実施の形態１で示した場合と実質的に同様なので、説明を省略する。
実施の形態４によれば、発光覆部５を通して手すり表面から光を放つことができるので、歩行者に手すりの位置を容易に知らせることができ、高い誘目性を有する。
【００２８】
［実施の形態５］
図５（ａ）は本発明の実施の形態５の通路側を示す正面図、図５（ｂ）は図５（ａ）の断面図、図５（ｃ）は図５（ｂ）の要部を拡大した断面図である。２３は発光部４の内側表面に装着したプリズムレンズシートで、その刻みの伸びる方向が発光部４の長手方向に平行になるようにし、かつそのシート加工面２４を発光部４側に向けてすなわち発光部４の内側に向かうようにして装着し、発光面下部とくに手すり中心部における照度を増加するようにしてある。
その他の構成、作用は、実施の形態１で示した場合と実質的に同様なので、説明を省略する。
実施の形態５によれば、発光部４の表面から発せられた光を高い効率で取り出すことができ、手すりの周囲を広く照明することができる。
【００２９】
［実施例］
実施の形態５に示す手すり照明装置を試作して、プリズムレンズシート２３を図５に示すように装着した場合の実測照度値を示す。プリズムレンズシート２３の条件は、レンズ厚みの最大値が約１６０μｍ、レンズピッチが約５０μｍであり、それ以外の条件は実施の形態１の実施例における説明と同等である。こうして測定した実測照度値によれば、発光部４の表面中心から垂直に６０ｃｍ離した点で２２ルックス、そこから照度計向きを変えずに３０ｃｍ右へ移動させた点でも１０ルックを得た（左側も同様）。すなわち、プリズムレンズシート２３を装着することによって、手すり中心で２倍以上の照度を得たことになる。
【００３０】
［実施の形態６］
図６（ａ）は本発明の実施の形態６の通路側を示す正面図、図６（ｂ）は図６（ａ）の断面図、図６（ｃ）は図６（ｂ）の要部を拡大した断面図である。２５は発光部４の外側表面に楔状に加工された発光部加工面で、その刻みの伸びる方向が発光部４の長手方向に平行になるようにし、発光部４からの光を発光部４の外側に拡散するようにしてある。なお、実施の形態６では楔加工の詳細寸法は特定しないが、必要に応じ所望の拡散領域や方向などを決定する設計を行うことは可能である。
上記の説明において、発光部４の楔状の発光部加工面２５は発光部４の外側表面に設けたが、発光部４の内側表面に設けてもよい。
実施の形態６によれば、発光部４の表面における配光の範囲を広げることができ、手すり周囲を広く照明することができる。
【００３１】
［実施の形態７］
図７は本発明の実施の形態７の説明図である。２６は階段、２７は階段２６に隣接する壁面１０に取付けた手すり照明装置である。２８は手すり照明装置をエネルギー面から効率的に運用するための照明装置制御ボックス、２９は照明装置制御ボックス２８に外界の明るさの状態を知らせるための明るさセンサ、３０は照明装置制御ボックス２８に通行人の有無を知らせるための人感センサであり、照明装置制御ボックス２８は明るさセンサ２８及び人感センサ２９の状態を認識して、手すり照明装置に点灯ＯＮあるいは点灯ＯＦＦの信号、または調光信号を発する。なお、ＯＮ，ＯＦＦタイミング、調光レベルなどの設定は、あらかじめユーザが自在に調整可能にすることが望ましい。
【００３２】
こうして、明るさセンサ２９を利用、連動させると、手すり照明装置以外の外光により通路周囲が明るく照明される場合は、手すり照明装置を非点灯状態にすることができ、省エネ効果を高めることができる。また、人感センサ３０を利用、連動させると、通路に人がいない場合も手すり照明装置を非点灯状態にすることができ、同じく省エネ効果を高めることができる。さらに両者を併用すれば、周囲が暗く歩行者がいる場合のみ手すり照明装置を点灯状態にすることができ、さらなる省エネ効果を得ることができる。
【００３３】
実施の形態７によれば、明るさセンサ２９及び人感センサ３０のいずれか、あるいは両者と連動して動作する構成にしたので、周囲が明るいときや、通行人がいないときなどに、照明のための無駄な電力を消費しなくてもよく、センサ仕掛けとすることで従来のようなスイッチ点灯消灯操作などの煩わしい行為をしなくてもよい。また、その分器具としての寿命をのばすことができ、本来、ＬＥＤ自体が長寿命であるため、一度設置したら数十年の間、光源交換をしなくて済むことになる。
【００３４】
【発明の効果】
以上の説明から明らかなように、本発明は、複数の発光ダイオード素子と、発光ダイオード素子を取付けた光源部と、中空円筒状で透明または半透明の発光部と、発光部内側の上部近傍に取付けた反射シートと、発光部外側の一部を覆う発光覆部とにより照明装置本体を構成し、照明装置本体を設置面に取り付けてなる手すり照明装置であって、光源部は、平面円形状からなり、この平面円形状の一面に発光ダイオード素子が配置されるとともに、発光ダイオード素子の発光中心方向が発光部の発光面法線方向とほぼ垂直になるように発光部の片端あるいは両端に着脱自在に装着される。
【００３５】
このため、低消費エネルギーで発光部から光を周囲に放ち安全歩行を確保すると共に、発光部表面に熱を持たないため安心して握りまた身体をあずけることができる。また、発光ダイオード素子が長寿命であるため、従来の蛍光灯に比べて光源交換回数ははるかに激減し、ほぼ交換なしでの使用が可能である。さらに、複数個の発光ダイオード素子を用いているため小数個の素子が点灯不能になった状態でもそのまま使用できる利点があり、光源部の照明装置本体からの取り外しが可能であるためメンテナンスは必要に応じて容易に行うことができる。
【００３６】
また、複数の発光ダイオード素子と、発光ダイオード素子を取付けた光源部と、中空円筒状で透明または半透明の発光部と、発光部内側の上部近傍に取付けた反射シートと、発光部外側の一部を覆う発光覆部とにより照明装置本体を構成し、照明装置本体を設置面に取り付けてなる手すり照明装置であって、照明装置本体の発光部に対向する位置に設けた光源部取付口と、光源取付部を有し、この光源取付部によって光源部取付口に着脱自在に取付られるとともに、発光部内の長手方向中心軸に沿って配設される直線状の光源部と
を備えた。
【００３７】
このため、低消費エネルギーで発光部から光を均一に周囲に放ち安全歩行を確保すると共に、発光部表面に熱を持たないため安心して握りまた身体をあずけることができる。また、発光ダイオード素子が長寿命であるため、従来の蛍光灯に比して光源交換回数ははるかに激減し、ほぼ交換なしでの使用が可能となる。さらに、複数個の発光ダイオード素子を用いているため小数個の素子が点灯不能になった状態でもそのまま使用できる利点があり、光源部の照明装置本体からの取り外しが可能であるためメンテナンスは必要に応じて容易に行うことができる。
【００３８】
さらに、通路側覆部長さを取付側覆部長さよりも長くすると共に通路側覆部長さを取付高さに応じたグレアを感じられない長さとした発光覆部を備えた。
このため、通路側へ発光する光の量を大きくして設置面側手すりの周囲を明るく照明することができ、さらに通路側では歩行者から手すりを見たときの眩しさを抑えることができるため不快にならない安全歩行照明を行うことができる。
【００３９】
また、照明装置本体の発光覆部と反射シートの長手方向上部に沿って少なくとも１個以上の貫通穴を設けた。
このため、発光覆部、言い換えれば、手すり表面から光を放つため、歩行者に手すりの位置を確実に知らせる誘目効果を備えることができる。
【００４０】
さらに、表面に複数の刻み部を設けたプリズムレンズシートを発光部の内側表面に設け、刻み部を発光部の長手方向に平行に配設すると共に発光部の内側表面に向けて配設した。
このため、発光部表面から発光部で発せられた光を高い効率で取り出すことができ、手すり周囲を広く照明することができる。
【００４１】
また、長手方向に平行に複数の楔部を設けた発光部を備えた。
このため、発光部表面における配光の範囲を広げることができ、手すり周囲を広く照明することができる。
【００４２】
さらに、明るさセンサと人感センサの少なくとも一方と連動して作動する照明装置本体を備えた。
このため、周囲が明るいときや通行人がいないときなどは照明のための無駄な電力を消費しなくてもよく、センサ仕掛けとすることで従来のようなスイッチ点灯消灯操作などの煩わしい行為をしなくてもよい。また、その分器具としての寿命をのばすことができ、本来、発光ダイオード素子自体が長寿命であるため、一度設置したら数十年のあいだ光源の交換をする必要がない。
【図面の簡単な説明】
【図１】  本発明の実施の形態１の背面図、Ａ−Ａ断面図及び正面図である。
【図２】  本発明の実施の形態２の背面図及びＢ−Ｂ断面図である。
【図３】  本発明の実施の形態３の背面図、正面図及びＣ−Ｃ断面図である。
【図４】  本発明の実施の形態４の背面図、平面図及びＤ−Ｄ断面図である。
【図５】  本発明の実施の形態５の正面図、断面図及び要部の断面図である。
【図６】  本発明の実施の形態６の正面図、断面図及び要部の断面図である。
【図７】  本発明の実施の形態７の説明図である。
【図８】  従来の手すり照明装置の背面図、Ｅ−Ｅ断面図及び側面図である。
【符号の説明】
１  光源部、２  発光ダイオード素子（ＬＥＤ）、４  発光部、５  発光覆部、５ａ  取付側覆部、５ｂ  通路側覆部、６  反射シート、１０  壁面、１２  光源取付部、１４  光源部取付口、１５，１６，１７  貫通穴、２３  プリズムレンズシート、２４  シート加工面、２５  発光部加工面、２９  明るさセンサ、３０  人感センサ。
【図１】
0004103055.tif 000002
【図２】
0004103055.tif 000003
【図３】
0004103055.tif 000004
【図４】
0004103055.tif 000005
【図５】
0004103055.tif 000006
【図６】
0004103055.tif 000007
【図７】
0004103055.tif 000008
【図８】
0004103055.tif 000009